(57)【要約】【課題】今までにはない革新的なブラジャーの収納に効果的でファッション性にも優れたブラジャー収納容器の開発を課題とする。【解決手段】（ａ）    対向端にて互いに蝶着され、内面側が凹設されている一対のカップ収納体（１）（２）と、（ｂ）    カップ収納体（１）（２）の内面側に配設され、カップ収納体（１）（２）に蝶着され、カップ収納体（１）（２）の凹部開口（４）（５）を開閉する中蓋（６）（７）と、（ｃ）    前記蝶着部分（３）を除き、カップ収納体（１）（２）の周囲に設けられたファスナー（８）とで構成された事を特徴とする。【選択図】        図１
2005041491.tif 000002
【特許請求の範囲】
【請求項１】
（ａ）  対向端にて互いに蝶着され、内面側が凹設されている一対のカップ収納体と、
（ｂ）  カップ収納体の内面側に配設され、カップ収納体に蝶着され、カップ収納体の凹部開口を開閉する中蓋と、
（ｃ）  前記蝶着部分を除き、カップ収納体の周囲に設けられたファスナーと、
（ｄ）  で構成された事を特徴とするブラジャー収納容器。
【請求項２】
中蓋がカップ収納体の蝶着部分に蝶着可能に取り付けられている事を特徴とする請求項１に記載のブラジャー収納容器。
【請求項３】
カップ収納体の凹部内周面が起毛されている事を特徴とする請求項１又は２に記載のブラジャー収納容器。
【発明の詳細な説明】
【０００１】
【発明の属する技術分野】
本発明は、新規なブラジャー収納用の容器に関する。
【０００２】
【従来の技術】
従来のブラジャーは、周知のように左右１対の布製のカップを連結し、連結端の反対側から脇布が、上端からは肩紐が縫着されて形成されている。カップは型崩れ防止のために堅い芯地が内部に使用されており、カップの下縁にはワイヤボーンが挿脱可能に取り付けられている。最近ではワイヤボーンに形状記憶合金などが採用され、洗濯により型崩れしても装着したときに体温によりワイヤボーンが元の形状に復元し、カップの形状を整えるものもある。このような布製のブラジャーは、タンスへの収納や旅行時のバッグへの収納は何らの配慮をする必要なく無造作に収納することができる。
【０００３】
【発明が解決しようとする課題】
ところが、図４に示すような今までにはない革新的なブラジャー（Ｂ）が出現した。このブラジャー（Ｂ）は、左右一対のシリコン樹脂製のカップ（２１）（２２）だけで構成されており、このカップ（２１）（２２）の内周凹面（１４）（１５）にバストの皮膚に直接粘着する粘着層（１１）（１２）が形成されている。このブラジャー（Ｂ）は使用しない場合、カップ（２１）（２２）の内周凹面（１４）（１５）の粘着層（１１）（１２）が露出することになるため、粘着層（１１）（１２）に埃やゴミが付着しやすい。粘着層（１１）（１２）に埃やゴミが付着すると次第に粘着力を失い、ついには使用することができなくなる。また、このように取り扱いに注意が必要であるため、持ち運びにも気を使う必要があり不便であった。加えて、ブラジャー（Ｂ）はファッションの一部でありその収納容器もファッション性に優れたものである必要がある。
【０００４】
そこで、このブラジャー（Ｂ）の収納のために考えだされたのが本発明にかかるブラジャー収納容器（Ａ）で、このブラジャー（Ｂ）の不使用時には収納しておき、粘着層（１１）（１２）に埃やゴミが付着しないようにし且つ持ち運びにも便利でおしゃれなブラジャー収納容器（Ａ）の提供をその課題とする。
【０００５】
【課題を解決するための手段】
請求項１に記載のブラジャー収納容器（Ａ）は、
（ａ）  対向端にて互いに蝶着され、内面側が凹設されている一対のカップ収納体（１）（２）と、
（ｂ）  カップ収納体（１）（２）の内面側に配設され、カップ収納体（１）（２）に蝶着され、カップ収納体（１）（２）の凹部開口（４）（５）を開閉する中蓋（６）（７）と、
（ｃ）  前記蝶着部分（３）を除き、カップ収納体（１）（２）の周囲に設けられたファスナー（８）とで構成された事を特徴とする。
【０００６】
カップ収納体（１）（２）の内面側に配設され、カップ収納体（１）（２）に蝶着され、カップ収納体（１）（２）の凹部開口（４）（５）を開閉する中蓋（６）（７）の存在により、ブラジャー（Ｂ）のカップ（２１）（２２）をそれぞれカップ収納体（１）（２）に収納した時、中蓋（６）（７）によりカップ（２１）（２２）がそれぞれ分離されて収納され、カップ（２１）（２２）の粘着層（１１）（１２）同士が粘着することがないし、埃やゴミの付着もない。
【０００７】
また、カップ収納体（１）（２）の周囲に設けられたファスナー（８）を閉じた時、図２のようにカップ収納体（１）（２）の内面側同士が合わされてボール状となり、外観もおしゃれで取り扱いやすくなる。
【０００８】
請求項２に記載のブラジャー収納容器（Ａ）は中蓋（６）（７）の取り付け位置に関し「中蓋（６）（７）がカップ収納体（１）（２）の蝶着部分（３）に蝶着可能に取り付けられている」事を特徴とするもので、このようにすることによりファスナー（８）を開いた場合、中蓋（６）（７）の蝶着位置がカップ収納体（１）（２）の蝶着部分（３）側にあるため中蓋（６）（７）の開閉が容易であり、カップ収納体（１）（２）へのカップ（２１）（２２）の収納・取り出しが容易となる。
【０００９】
「請求項３」に記載のブラジャー収納容器（Ａ）は「カップ収納体（１）（２）の内周凹面（１ｂ）（２ｂ）が起毛されている」事を特徴とするもので、これにより柔らかいシリコン製のカップ（２１）（２２）が起毛されている内周凹面（１ｂ）（２ｂ）に接触し、ブラジャー収納容器（Ａ）の持ち運びに際し、ブラジャー収納容器（Ａ）を少々手荒く扱ったとしてもカップ（２１）（２２）の表面に傷がつくというようなことがない。
【００１０】
【発明の実施の形態】
以下、本発明を図示実施例に従って詳述する。図１は本発明にかかるブラジャー収納容器（Ａ）の開成状態の斜視図で、一対のカップ収納体（１）（２）内にブラジャー（Ｂ）のカップ（２１）（２２）が分離されてそれぞれ収納されている。カップ収納体（１）（２）は略半球状のもので、比較的硬く厚い芯地のような材料（本実施例では前記カップ（２１）（２２）に合わせて略半球状に形成された発泡樹脂の表凸面（１ａ）（２ａ）及び内周凹面（１ｂ）（２ｂ）側に薄い織布が張設されている。勿論、これに限られず内周凹面（１ｂ）（２ｂ）を起毛加工してもよい。
【００１１】
前記カップ収納体（１）（２）はブラジャー収納容器（Ａ）の開成状態におけるその対向端にて互いに蝶着布（１８）にて蝶着可能に縫着されている。更に、前記蝶着部分（３）を除き、カップ収納体（１）（２）の周囲にファスナー（８）が縫着されている。本実施例ではファスナー（８）としてジッパーが使用されているが勿論、これに限られるものでなくたとえばマジックファスナーのようなもの使用することも可能であり、カップ収納体（１）（２）を開成・閉成できるようなものであればよい。
【００１２】
中蓋（６）（７）はカップ収納体（１）（２）の凹部開口（４）（５）を左右に開閉するためのもので、本実施例では前記蝶着部分（３）にカップ収納体（１）（２）と一緒に縫着されている。中蓋（６）（７）の形状は、カップ収納体（１）（２）の凹部開口（４）（５）に合わせて形成されており、閉じた時、前記凹部開口（４）（５）全体を閉塞するようになっている。本実施例では両カップ収納体（１）（２）の凹部開口（４）（５）にそれぞれ中蓋（６）（７）が蝶着されているが、カップ収納体（１）（２）に収納されたブラジャー（Ｂ）のカップ（２１）（２２）の分離を目的とするだけの場合、いずれか一方だけでもよい。また、ブラジャー収納容器（Ａ）の開成状態（図１）における中蓋（６）（７）の露出面側で蝶着端の反対側には引き手（６ａ）（７ａ）が縫着されている。
【００１３】
本発明のブラジャー収納容器（Ａ）に収納されるブラジャー（Ｂ）は、前述のように左右一対のシリコン樹脂製のカップ（２１）（２２）だけで構成されており、このカップ（２１）（２２）の内周面にバストの皮膚に直接粘着する粘着層（１１）（１２）が形成されている。そして、カップ（２１）（２２）の対向端には雌雄の接続部材（２５）（２６）が装着されており、接続部材（２５）（２６）を外すことにより、カップ（２１）（２２）を分離することができる。使用時には接続部材（２５）（２６）同士を接続し、その状態でバストに直接カップ（２１）（２２）を装着する。このとき、粘着層（１１）（１２）の働きによりバストにカップ（２１）（２２）が粘着一体化し、ずれたり外れたりするようなことがない。
【００１４】
使用が終わり、このブラジャー（Ｂ）を収納する場合、まず、粘着層（１１）（１２）表面を水洗いして清浄にした後、ファスナー（８）を外してブラジャー収納容器（Ａ）を開成し、続いて中蓋（６）（７）の引き手（６ａ）（７ａ）を引っ張って中蓋（６）（７）を開き、カップ収納体（１）（２）内にそれぞれ分離したカップ（２１）（２２）を収納し、カップ（２１）（２２）の上から中蓋（６）（７）を閉じて両カップ収納体（１）（２）の凹部開口（４）（５）を閉塞し、最後に蝶着部分（３）のところでブラジャー収納容器（Ａ）を閉じ、ファスナー（８）を操作して両カップ収納体（１）（２）を接続する。これにより図２のボール状となる。
【００１５】
なお、前記実施例では布製のものを中心に説明したが、勿論、これに限られずブラジャー収納容器（Ａ）全体をプラスチックケースのようなもので形成してもよい。また、前記実施例では中蓋（６）（７）は単に両カップ収納体（１）（２）の凹部開口（４）（５）を閉塞だけのものであるが、中蓋（６）（７）と両カップ収納体（１）（２）との間にマジックファスナーやホックのような脱着部材（図示せず）を設けてもよい。このようにしておけばカップ収納体（１）（２）内にそれぞれ分離したカップ（２１）（２２）を収納したとき、脱着部材により中蓋（６）（７）が確実に凹部開口（４）（５）を閉塞するようになるので、ファスナー（８）を操作して両カップ収納体（１）（２）を開閉する場合にカップ（２１）（２２）が凹部開口（４）（５）から飛び出さず、カップ（２１）（２２）収納状態におけるブラジャー収納容器（Ａ）の取り扱いが容易になる。
【００１６】
【発明の効果】
本発明では前述のように左右一対のカップ収納体により、分離されたブラジャーのカップがそれぞれ収納され、且つ中蓋によりカップ収納体の凹部開口が閉塞されるので、収納されたカップの粘着層同士が粘着しないだけでなく埃やゴミの付着もない。しかも、カップ収納体の周囲に設けられたファスナーにより閉成した時、図２のようにカップ収納体の内面側同士が合わされてボール状となり、外観もおしゃれで取り扱いやすい。特に旅行に持って行くときなど便利である。
なお、カップ収納体の凹部内周面に起毛を設けておけば、柔らかいシリコン製のカップの保護に効果的である。
【図面の簡単な説明】
【図１】本発明にかかるブラジャー収納容器を開成したときの斜視図
【図２】本発明にかかるブラジャー収納容器を閉成したときの平面図
【図３】図２の断面図
【図４】本発明のブラジャー収納容器に収納されるブラジャーの分離状態における斜視図
【符号の説明】
（Ａ）      ブラジャ収納容器
（１）（２）  カップ収納体
（３）      蝶着部分
（４）（５）    凹部開口
（６）（７）  中蓋
（８）      ファスナー
【図１】
2005041491.tif 000003
【図２】
2005041491.tif 000004
【図３】
2005041491.tif 000005
【図４】
2005041491.tif 000006
【手続補正書】
【提出日】平成16年6月14日(2004.6.14)
【手続補正１】
【補正対象書類名】明細書
【補正対象項目名】特許請求の範囲
【補正方法】変更
【補正の内容】
【特許請求の範囲】
【請求項１】
(a)  比較的硬く厚い芯地のような材料からなり、対向端にて互いに蝶着され、内面側が凹設されている一対のカップ収納体と、
(b)  カップ収納体の内面側に配設され、カップ収納体に蝶着され、カップ収納体の凹部開口を開閉する中蓋と、
(c)  前記蝶着部分を除き、カップ収納体の周囲に設けられたファスナーと、
(d)  で構成された事を特徴とするブラジャー収納容器。
【請求項２】
中蓋がカップ収納体の蝶着部分に蝶着可能に取り付けられている事を特徴とする請求項１に記載のブラジャー収納容器。
【請求項３】
カップ収納体の凹部内周面が起毛されている事を特徴とする請求項１又は２に記載のブラジャー収納容器。
【手続補正２】
【補正対象書類名】明細書
【補正対象項目名】０００５
【補正方法】変更
【補正の内容】
【０００５】
【課題を解決するための手段】
請求項１に記載のブラジャー収納容器(A)は、
(a)   比較的硬く厚い芯地のような材料からなり、対向端にて互いに蝶着され、内面側が凹設されている一対のカップ収納体(1)(2)と、
(b)  カップ収納体(1)(2)の内面側に配設され、カップ収納体(1)(2)に蝶着され、カップ収納体(1)(2)の凹部開口(4)(5)を開閉する中蓋(6)(7)と、
(c)  前記蝶着部分(3)を除き、カップ収納体(1)(2)の周囲に設けられたファスナー(8)とで構成された事を特徴とする。




【手続補正書】
【提出日】平成16年9月3日(2004.9.3)
【手続補正１】
【補正対象書類名】明細書
【補正対象項目名】特許請求の範囲
【補正方法】変更
【補正の内容】
【特許請求の範囲】
【請求項１】
(a)  芯地のような材料からなり、対向端にて互いに蝶着され、内面側が凹設されている一対のカップ収納体と、
(b)  カップ収納体の内面側に配設され、カップ収納体に蝶着され、カップ収納体の凹部開口を開閉する中蓋と、
(c)  前記蝶着部分を除き、カップ収納体の周囲に設けられたファスナーと、
(d)  で構成された事を特徴とするブラジャー収納容器。
【請求項２】
中蓋がカップ収納体の蝶着部分に蝶着可能に取り付けられている事を特徴とする請求項１に記載のブラジャー収納容器。
【請求項３】
カップ収納体の凹部内周面が起毛されている事を特徴とする請求項１又は２に記載のブラジャー収納容器。
【手続補正２】
【補正対象書類名】明細書
【補正対象項目名】０００５
【補正方法】変更
【補正の内容】
【０００５】
【課題を解決するための手段】
請求項１に記載のブラジャー収納容器(A)は、
(a)  芯地のような材料からなり、対向端にて互いに蝶着され、内面側が凹設されている一対のカップ収納体(1)(2)と、
(b)  カップ収納体(1)(2)の内面側に配設され、カップ収納体(1)(2)に蝶着され、カップ収納体(1)(2)の凹部開口(4)(5)を開閉する中蓋(6)(7)と、
(c)  前記蝶着部分(3)を除き、カップ収納体(1)(2)の周囲に設けられたファスナー(8)とで構成された事を特徴とする。